(57)【要約】      （修正有）【課題】ＳＤカードをＤＶＤトールケースやＣＤ／ＤＶＤディスクと同じサイズの安価なプラケースに収納することにより、ＣＤ／ＤＶＤディスクと同じ場所に保管することが出来る収納具を提供するものである。【解決手段】円形又は四角形の基板の中心にはＣＤ／ＤＶＤと同サイズの貫通した直径１５ｍｍの穴が空いている。前記基板の穴を中心にして１２０°間隔の放射状にＳＤカード保持体２１を３枚の辺同士の間隔Ｗ１が約３１．０〜３２．０ｍｍとなるように貼着し、ＣＤプラケース等やスピンドルケースに収納してＳＤカード収納具を作成することが出来る。【選択図】図７
2018135141.tif 000002
【特許請求の範囲】
【請求項１】
所定レベルの弾性変形能を有した合成樹脂層であり、
所定形状で所定の厚さを有した平板状の保持体であって、
夾角が１２０°に開いた略扇形状の円弧側から挟持するＳＤカードの長手方向の幅に略等しい幅の切欠きが１つ形成されており、且つ、その平板状の合成樹脂層の片方の面には粘着手段が設けられて所定の基板の表面に貼付・固定される構造になっており、前記切欠きに前記ＳＤカードを嵌入した状態で保持することができる
ことを特徴としたＳＤカード保持体。
【請求項２】
請求項１記載のＳＤカード保持体の粘着面に前記保持体と同形状の所定の厚さを有した合成樹脂あるいは紙の薄板を貼着し、さらに前記薄板に剥離紙付の粘着シートを貼着した構造になっている
ことを特徴とするＳＤカード保持体。
【請求項３】
請求項１又は２記載のＳＤカード保持体の弾性変形能を有した合成樹脂層の表面に粘着手段により、所定の厚さを有した前記ＳＤカード保持体と同形状の合成樹脂の薄板を貼着してある
ことを特徴とするＳＤカード保持体。
【請求項４】
前記請求項１，２又は３記載のＳＤカード保持体をＣＤプラケース又はＤＶＤプラケースに収まる略四角形又は円形の基板（１）の少なくとも片方の面の中心を基準にして３枚を互いに１２０°の間隔であって、さらにＳＤカード保持体同士の間隔を３１．０〜３２．０ｍｍの間隔を有しながら、放射状に配置、貼着した
ことを特徴とするＳＤカード収納具。
【請求項５】
前記請求項４記載のＳＤカード収納具をＣＤプラケース又はＤＶＤプラケースに組み込んだ
ことを特徴とするＳＤカード収納具。
【請求項６】
請求項１，２又は３記載のＳＤカード保持体をＣＤプラケース又はＤＶＤプラケースやトレー付ジュエルケースのディスクをセットするプッシュ部を中心に前記ＳＤカード保持体を直に内面に３枚が互いに１２０°の間隔であって、さらにＳＤカード保持体同士の間隔を３１．０〜３２．０ｍｍの間隔を有しながら、放射状に配置、貼着してある
ことを特徴とするＳＤカード収納具。
【請求項７】
所定レベルの弾性変形能を有した合成樹脂層であり、
所定形状で所定の厚さを有した平板状のＳＤカード保持体であって、
略円形状の外縁側から挟持するＳＤカードの長手方向の幅に略等しい幅の切欠きが複数形成され、その切欠きは個々の奥行きが異なっていてもよく、且つ、その合成樹脂層の片方の面には粘着手段が設けられて所定の基板の表面に貼付・固定される構造になっており、前記切欠きに前記ＳＤカードを嵌入した状態で保持することができる
ことを特徴としたＳＤカード保持体。
【請求項８】
請求項７記載のＳＤカード保持体の粘着面に前記保持体と同形状の所定の厚さを有した合成樹脂あるいは紙の薄板を貼着し、さらに前記薄板に剥離紙付の粘着シートを貼着した構造になっている
ことを特徴とするＳＤカード保持体。
【請求項９】
請求項７，８記載のＳＤカード保持体の弾性変形能を有した合成樹脂層の表面に粘着手段により、所定の厚さを有した前記ＳＤカード保持体と同形状の合成樹脂の薄板を貼着してある
ことを特徴とするＳＤカード保持体。
【請求項１０】
前記請求項７，８又は９記載のＳＤカード保持体をＣＤプラケース又はＤＶＤプラケースに収まる略四角形又は円形の基板（１）の少なくとも片方の面の中心を基準にして配置、貼着する
ことを特徴とするＳＤカード収納具。
【請求項１１】
前記請求項１０記載のＳＤカード収納具をＣＤプラケース又はＤＶＤプラケースに組み込んだ
ことを特徴とするＳＤカード収納具。
【請求項１２】
請求項７，８又は９記載のＳＤカード保持体をＣＤプラケース又はＤＶＤプラケースやトレー付ジュエルケースのＣＤ，ＤＶＤディスクをセットするプッシュ部を中心に前記ＳＤカード保持体を直に内面に配置、貼着してある
ことを特徴とするＳＤカード収納具。
【発明の詳細な説明】
【技術分野】
【０００１】
本発明は、デジタル機器に使用する記憶媒体、特にＳＤカードを管理・保管に便利な収納具に関するものである。
【背景技術】
【０００２】
従来、個人、会社が所有するデータを保管する記憶媒体、特にＳＤカードが増えたときにＳＤカードを保管するのにＳＤカード用クリアケースやアルミメモリーカードケース、ＳＤカードアルバムケース、クレジットカード・サイズのホルダー、ＤＶＤトールケース型ＳＤ，ＳＤカード管理ケース、メモリカード・ホルダー・ポーチケース、メモリーカード・ファイルケース等を使用している。
【先行技術文献】
【特許文献】
【０００３】
【特許文献１】実用新案登録第３１８２０７２号公報
【特許文献２】特開２０１４−９８３号公報
【特許文献３】実用新案登録第３１５５４８４号公報
【発明の概要】
【発明が解決しようとする課題】
【０００４】
本発明は、ＳＤカードの所有数が増えてくると収納管理方法に苦労し、金額の張る収納具を購入することとなる。また、所在不明のカードも出てくるので、これらのカードをＤＶＤトールケースや安価なＣＤ／ＤＶＤプラケースに収納することにより、ＣＤやＤＶＤディスクと同じ場所に保管することが出来、前述の欠点を解決しようとするものである。
【課題を解決するための手段】
【０００５】
上記目的を達成するために、所定レベルの弾性変形能を有した合成樹脂層であって、所定形状で所定の厚さを有した平板状の保持体であって、夾角が１２０°に開いた略扇形状の円弧側から挟持するＳＤカードの長手方向の幅に略等しい幅の切欠きが１つ形成されており、且つ、その合成樹脂層の裏面には粘着手段が設けられて所定の基板１の表面に貼付・固定される構造になっており、前記切欠きに前記ＳＤカードを嵌入した状態で保持することを特徴としているＳＤカード保持体である。
【０００６】
又、この前記ＳＤカード保持体において、裏面の粘着手段により所定の厚さを有した前記ＳＤカード保持体と同形状の合成樹脂あるいは紙の薄板を貼着し、さらに剥離紙付の粘着層を貼着した構造になっているＳＤカード保持体。
【０００７】
更にまた、前記ＳＤカード保持体において、弾性変形能を有した合成樹脂層の表面に粘着手段により同形状の所定の厚さを有した合成樹脂の薄板を貼着してあるＳＤカード保持体である。
【０００８】
更にまた、上述したＳＤカード保持体をＣＤプラケース又はＤＶＤプラケースに収まる略四角形又は円形の基板１の少なくとも片方の面の中心を基準にして３枚を前記基板１に１２０°の間隔であって、さらにＳＤカード保持体同士の間隔を３１．０〜３２．０ｍｍの間隔を有しながら、放射状に配置、貼着することで前記切欠き及び前記間隔の部分に複数のＳＤカードを各々挟み込んで保持することを特徴とするＳＤカード収納具である。
【０００９】
更にまた、上述したＳＤカード収納具をＣＤプラケース又はＤＶＤプラケースに組み込んだことを特徴とするＳＤカード収納具になる。
【００１０】
上述したＳＤカード保持体をＣＤプラケース又はＤＶＤプラケースやトレー付ジュエルケースのディスクをセットするプッシュ部を中心に前記ＳＤカード保持体を直に３枚が１２０°の間隔であって、さらにＳＤカード保持体同士の間隔を３１．０〜３２．０ｍｍの間隔を有しながら、放射状に配置、貼着することで前記切欠き及び前記間隔の部分にもＳＤカードを各々挟み込んで保持することを特徴とするＳＤカード収納具になる。
【００１１】
上述したＳＤカード保持体をジュエルケース（トレーなし）のボトム側とリッド側のそれぞれの内面の中心を基準にして３枚を互いに１２０°の間隔であって、さらにＳＤカード保持体同士の間隔を３１．０〜３２．０ｍｍの間隔を有しながら、放射状に配置、貼着することで前記切欠き及び前記間隔の部分に複数のＳＤカードを各々挟み込んで保持することを特徴としたＳＤカード収納具となる。
【００１２】
また、所定レベルの弾性変形能を有しており、所定形状で所定の厚さを有した平板状の合成樹脂層の保持体であって、略円形状の外縁側から挟持するＳＤカードの長手方向の幅に略等しい幅の切欠きが複数形成されており、その切欠きの奥行きは個々の異なった奥行きであってもよく、且つ、合成樹脂層の片方の面には粘着手段が設けられて所定の基板１の表面に貼付・固定される構造になっており、前記切欠きに前記ＳＤカードを嵌入した状態で保持することを特徴としたＳＤカード保持体。
【００１３】
前記ＳＤカード保持体の粘着面に前記保持体と同形状の所定の厚さを有した合成樹脂あるいは紙の薄板を貼着し、さらに前記薄板に剥離紙付の粘着シートを貼着した構造になっていることを特徴とするＳＤカード保持体。
【００１４】
さらに前記ＳＤカード保持体の弾性変形能を有した合成樹脂層の表面に粘着手段により、所定の厚さを有した前記ＳＤカード保持体と同形状の合成樹脂の薄板を貼着してあることを特徴とするＳＤカード保持体。
【００１５】
そして、前記ＳＤカード保持体をＣＤプラケース又はＤＶＤプラケースに収まる略四角形又は円形の基板１の少なくとも片方の面の中心を基準にして配置、貼着することを特徴とするＳＤカード収納具。
【００１６】
さらに前記ＳＤカード収納具をＣＤプラケース又はＤＶＤプラケースに組み込んだことを特徴とするＳＤカード収納具。
【００１７】
さらに又、前記ＳＤカード保持体をＣＤプラケース又はＤＶＤプラケースやトレー付ジュエルケースのディスクをセットするプッシュ部を中心に前記ＳＤカード保持体を直に内面に配置、貼着することを特徴とするＳＤカード収納具。
【発明の効果】
【００１８】
上述したように、本発明のＳＤカード保持体２０，２１，６は、不用となったＣＤディスクやＤＶＤディスクに粘着手段を用いて貼着、及び収納するディスクの無い空となったＣＤプラケース，ＤＶＤプラケースの内部に直に貼着してＳＤカード収納具を作ることも出来るので、安価であり、楽に整理整頓、保管管理等ができる。又、図１７のようにスピンドルケースに基板に貼着した収納具を多数枚格納することも出来る。
【図面の簡単な説明】
【００１９】
【図１】本発明のＳＤカード保持体の部分断面模式図
【図２】本発明のＳＤカード保持体の部分断面模式図
【図３】本発明のＳＤカード保持体の部分断面模式図
【図４】本発明のＳＤカード保持体を貼着するための基板
【図５】本発明のＳＤカード保持体
【図６】本発明のＳＤカード保持体
【図７】本発明のＳＤカード保持体２１をディスクに貼着した収納具
【図８】本発明のＳＤカード保持体２０をディスクに貼着した収納具
【図９】本発明のＳＤカード保持体
【図１０】ＳＤカード保持体６を基板に貼着した収納具
【図１１】トレーを外したＣＤ，ＤＶＤプラスチック・ジュエルケース
【図１２】ＣＤ／ＤＶＤプラケースにＳＤカード保持体を直接ボトム側に貼着した収納具
【図１３】ＳＤカードを挟み込んだ状態図
【図１４】立掛けてＳＤカードが落下しないことを示した図
【図１５】ＳＤカード保持体を基板１に貼着した収納具
【図１６】ＳＤカード保持体をプロテクト・ディスクに貼着した収納具
【図１７】ＳＤカードを嵌入してスピンドルケースに収めた図
【発明を実施するための形態】
【００２０】
以下、図１から図１７を参照してＳＤカード保持体及びＳＤカード収納具における実施の形態について、詳細に説明する。
【００２１】
図１，２，３はＳＤカード保持体の略断面を示す模式図である。Ｐ１は所定レベルの弾性変形能を有した合成樹脂層（例えば、（株）ダイソーの２．５ｍｍのＥＶＡ発泡シートや（株）モノタロウの２．０ｍｍのＣＲ発泡ゴムシート）であり、Ｐ２，Ｐ５は粘着層、Ｐ３，Ｐ６は剥離紙を示す。
図２は図１の剥離紙Ｐ３を取り除き、粘着層Ｐ２の下に所定の厚さを有した合成樹脂の薄板あるいは厚紙Ｐ４と剥離紙Ｐ６付の粘着シートＰ５を貼着した構造になっている。図３は図１の所定レベルの弾性変形能を有した合成樹脂層Ｐ１の上に更に所定の厚さを有した合成樹脂の薄板あるいは厚紙Ｐ４を貼着した構造になっている。
【００２２】
図５，図６，図９に示すＳＤカード保持体２０，２１，６は図１，２，３の構成に組み合わせた所定の厚さを有した平板状のものをプレス，抜型，レーザーカット加工機等で形成される。
【００２３】
前記ＳＤカード保持体２０，２１は夾角が１２０°の略扇形状の円弧側から３１．０〜３２．０ｍｍ幅で奥行きが１５ｍｍ前後の切欠きが一つ形成され、且つ貼着手段が設けられている。
【００２４】
そして、前記ＳＤカード保持体２０，２１の３枚を図７，図８に示すように基板１の少なくとも片方の面の中心を基準に基板１上に１２０°の振り分けで直にＳＤカード保持体同士の間隔が互いに３１．０〜３２．０ｍｍの間隔を有しながら貼付することでＳＤカード収納具となる。
【００２５】
又、図１２に示すようにＣＤプラケース，ＤＶＤプラケースの内部の少なくとも片側の面の中心を基準に１２０°の振り分けで直にＳＤカード保持体同士の間隔が互いに３１．０〜３２．０ｍｍの間隔を有しながら内面に貼付することによりＳＤカードを挟み込んで保持することが出来るＳＤカード収納具になる。
【００２６】
図９に示すように形成した請求項７，８又は９記載のＳＤカード保持体６には３１．０〜３２．０ｍｍの幅に略等しい幅の奥行きが同じか異なった複数の切欠きが形成され、且つその裏面には貼着手段が設けられており、基板１上に貼付するか、又はＣＤプラケース，ＤＶＤプラケースの内部に直に片側の面の中心を基準に所定の配置で貼付し、前記切欠きの部分にＳＤカードを各々挟み込んで保持することが出来るＳＤカード収納具になる。
【実施例】
【００２７】
以下、添付図面に従って一実施例を説明する。図４に示す円形又は四角形（図示せず）の基板１は合成樹脂、紙または木粉質からなる円形又は四角形の薄板で、外径サイズは円形の場合にはＣＤ／ＤＶＤディスクと同サイズまたは小さくてもよく、又四角形の場合にはＣＤ／ＤＶＤプラケース，ジュエルケース，トールケース等に入るサイズが好ましい。円形基板１ならば１１０〜１２０ｍｍのサイズが最も好ましく、四角形の基板ならば略１２７×１１７ｍｍのサイズが最も好ましい。前記円形又は四角形の基板の中心にはＣＤ／ＤＶＤと同サイズの貫通した直径１５ｍｍの穴が空いている。前記基板１の前記穴を中心にして１２０°間隔で、さらに放射状に図７，８，１６，１７のように前記ＳＤカード保持体２０または２１を３枚の辺の間隔が約３１．０ｍｍ〜３２ｍｍになるように等間隔に貼着して作成する。さらに前記基板１の表、裏両面に前述したように前記ＳＤカード保持体２０または２１を３枚貼着してＳＤカード収納具を作成してもよい。
【００２８】
また、図１２のようにＣＤ／ＤＶＤプラケースの中心に合わせてＳＤカード保持体２０または２１を内面に直に１２０°の等間隔に３枚貼着する。その向き合う辺の間隔Ｗ１は３１．２ｍｍから３１．８ｍｍが好ましい。
【００２９】
また、他の実施例として、上述した実施例と同じ図１，２，３の組み合わせ断面を持った所定の厚さを有した平板状の図９のＳＤカード保持体６であって、略円形状の外縁側から挟持するＳＤカードの長手方向の幅に略等しい幅の切欠きが複数形成されており、その切欠きの個々の奥行きは異なった奥行きであってもよく、且つ、粘着手段を用いて所定の基板１の少なくとも１つの面に貼付・固定されることを特徴としたＳＤカード収納具７である。
【００３０】
更に、上述したＳＤカード保持体６をＣＤ/ＤＶＤプラケースの内面の中心に合わせ直に貼付してＳＤカード収納具を作ることも出来る。
【００３１】
更に又、前記ＳＤカード収納具４，５，７をＣＤ/ＤＶＤプラケースやスピンドルケースに収納してＳＤカード収納具として使用することが出来ることを特徴としている。
【符号の説明】
【００３２】
１  円形基板
４，５，７  ＳＤカード収納具
６  ＳＤカード保持体
２０，２１  ＳＤカード保持体
Ｐ１  弾性変形能を有した合成樹脂層
Ｐ２，Ｐ５  粘着層
Ｐ３  剥離紙
Ｐ４  合成樹脂薄板または厚紙
Ｐ６  剥離紙
Ｗ１  ＳＤカード挟持部の幅
【図１】
2018135141.tif 000003
【図２】
2018135141.tif 000004
【図３】
2018135141.tif 000005
【図４】
2018135141.tif 000006
【図５】
2018135141.tif 000007
【図６】
2018135141.tif 000008
【図７】
2018135141.tif 000009
【図８】
2018135141.tif 000010
【図９】
2018135141.tif 000011
【図１０】
2018135141.tif 000012
【図１１】
2018135141.tif 000013
【図１２】
2018135141.tif 000014
【図１３】
2018135141.tif 000015
【図１４】
2018135141.tif 000016
【図１５】
2018135141.tif 000017
【図１６】
2018135141.tif 000018
【図１７】
2018135141.tif 000019